(57)【特許請求の範囲】
【請求項１】
屈曲性を有する材質からなる所定長さ寸法の本体ベルトと、この本体ベルトの長さ方向に間隔をおいた少なくとも２箇所でその一面に縫着されるチェーンスリング包被体とを備え、チェーンスリング包被体は本体ベルトの幅方向外方に延長する左右一対の折り返し部を有し、一方の折り返し部の一面に第一係着部材が設けられると共に折り返したときに該一方の折り返し部の上に重なる他方の折り返し部の一面に第一係着手段と係着可能な第二係着手段が設けられるものであって、第一係着手段と第二係着手段は互いに係着可能な面ファスナー部材からなり、さらに、これらチェーンスリング包被体の間において本体ベルトには結束バンドが設けられ、この結束バンドを、チェーンスリング包被体を本体ベルトに縫着する縫糸の縫目間隔を広く開けた部分に通すと共にチェーンスリングの一つのチェーンリンクに通すことによりチェーンスリングをチェーンスリング包被体の間において本体ベルトに結束するようにしたことを特徴とするチェーンスリングプロテクター。
【発明の詳細な説明】
【技術分野】
【０００１】
本発明は、クレーンなどでワークを吊り上げ運搬する際にチェーンスリングに装着してチェーンスリングおよびワークの両者を保護するために使用されるチェーンスリングプロテクターに関する。
【背景技術】
【０００２】
クレーンなどでワークを玉掛けにて吊り上げ運搬する場合、チェーンスリングなどのスリングおよびワークの両者を保護する目的で、従来よりプロテクター（クレーン用語では「当てもの」）が使用されている。プロテクターとしては、麻袋、古タイヤ、木材、鋼板をＬ字状に折り曲げたもの、鋼管を縦半分に切断したものなどがワークの形状や重量などに応じて選択して使用され、ワークのコーナー部などに当てた上にチェーンなどを通して吊り上げることにより、スリングおよびワークを保護する。
【発明の開示】
【発明が解決しようとする課題】
【０００３】
しかしながら、上記従来技術によると、プロテクターがスリングと分離しているため、ワークのコーナー部にプロテクターを当てる場合、クレーンなどのフックに掛けたスリングをクレーンで寸動操作しながらプロテクターを所定箇所にセットしなければならず、大変な労力を要し効率が悪い作業となっていた。また、プロテクターをセットするときに作業者の手がワークとプロテクターの間に挟まれてしまう危険があった。
【０００４】
さらに、チェーンスリングは交互に直交状態で連結される縦横のクロスチェーン列からなっているところ、従来技術によると、プロテクターに対するチェーンスリングの位置関係（向き）を一定にすることが困難であった。チェーンスリングの一列のクロスチェーンのみがプロテクターと接触すると、クロスチェーンの１リンク当たりの面圧が大きくなって、チェーンに傷が付くことがあった。
【０００５】
したがって、本発明の課題は、チェーンスリングにセットして使用され、チェーンスリングおよびワークに対する保護効果が高いプロテクターを提供することにある。
【課題を解決するための手段】
【０００６】
上記課題を解決するため、請求項１にかかる本発明は、屈曲性を有する材質からなる所定長さ寸法の本体ベルトと、この本体ベルトの長さ方向に間隔をおいた少なくとも２箇所でその一面に縫着されるチェーンスリング包被体とを備え、チェーンスリング包被体は本体ベルトの幅方向外方に延長する左右一対の折り返し部を有し、一方の折り返し部の一面に第一係着部材が設けられると共に折り返したときに該一方の折り返し部の上に重なる他方の折り返し部の一面に第一係着手段と係着可能な第二係着手段が設けられるものであって、第一係着手段と第二係着手段は互いに係着可能な面ファスナー部材からなり、さらに、これらチェーンスリング包被体の間において本体ベルトには結束バンドが設けられ、この結束バンドを、チェーンスリング包被体を本体ベルトに縫着する縫糸の縫目間隔を広く開けた部分に通すと共にチェーンスリングの一つのチェーンリンクに通すことによりチェーンスリングをチェーンスリング包被体の間において本体ベルトに結束するようにしたことを特徴とするチェーンスリングプロテクターである。
【０００７】
（削除）
【０００８】
（削除）
【０００９】
（削除）
【発明の効果】
【００１０】
本体ベルトの長さ方向に沿ってチェーンスリングを載せ、少なくとも２箇所に設けられているチェーンスリング包被体の折り返し部を折り返してチェーンスリングを包被した状態で面ファスナー同士を係着させることにより、本発明のチェーンスリングプロテクターがチェーンスリングにセットされる。さらに結束バンドでチェーンスリングを結束することによって安定した取付状態が得られる。この状態で、本体ベルトを吊りワークのコーナー部などに当てて吊り作業を行うことができるので、従来技術のようにスリングとは別体のプロテクターをセットする際の面倒な作業が不要となり、作業者が手を挟む危険も回避することができる。
【００１１】
面ファスナー同士を係着するだけでチェーンスリングにセットすることができるので、取り付け・取り外しが用意である。また、上記のようにしてチェーンスリングにセットした後であっても、包被体を閉じた状態のままでチェーンスリングをスライドさせることにより、スリングプロテクターを吊りワークに対して最適な位置に簡単に移動させることができ、且つ、最適位置にセットした後に結束バンドを用いて結束することによって該位置を保持することができると共にチェーンスリングプロテクターがスリングチェーンから不慮に離脱することを防止することができる。
【００１２】
本発明のチェーンスリングプロテクターは簡単な縫製作業だけで作製可能であるため、低コストで製品化することができる。
【発明を実施するための最良の形態】
【００１３】
図１および図２は、本発明の一実施形態によるチェーンスリングプロテクター１０の基本構成を示す。このチェーンスリングプロテクター１０は、本体ベルト１１の両端にチェーンスリング包被体１２，１２が縫着された構成を有する。
【００１４】
本体ベルト１１は吊りワークのコーナー部などに当てたときに該コーナー部などの形状に沿って変形可能な屈曲性・柔軟性を有する。ただし、本体ベルト１１はその使用において専ら幅方向に延長する折れ線で屈曲するものであり（図５参照）、その長さ方向に延長する折れ線で屈曲することが要求されることはないので、ここで言う屈曲性・柔軟性とは前者の意味であり、後者の意味では屈曲性・柔軟性を有していなくても良い。また、本体ベルト１１は、さらに、繰り返し使用に耐える強度および耐久性と、吊りワークを酸洗する場合を考慮して耐酸性も兼ね備えた材質からなることが好ましい。これらの観点から、たとえばポリエステル繊維またはアラミド繊維から製造されたものであることが好ましい。このような本体ベルト１１としては、それ自体としてスリングとして使用されることを前提として製造されたスリングベルトを用いることができる。
【００１５】
この実施形態では、略同一長さを有しながら幅寸法の異なる２枚のスリングベルト１１ａ，１１ｂ（たとえば７５ｍｍ幅の幅広スリングベルト１１ａとたとえば５０ｍｍ幅の幅狭スリングベルト１１ｂ）を同一中心線上で重ね合わせ、３本の縫糸１３ａ，１３ｂ，１３ｃで縫着一体化して、強度および耐久性に優れた本体ベルト１１としている。
【００１６】
チェーンスリング包被体１２，１２は折り返し可能な屈曲性を備えた生地からなり、本体ベルト１１の両端において幅広スリングベルト１１ａに縫糸１４ａ，１４ｂで縫着されている。幅広スリングベルト１１ａと幅狭スリングベルト１１ｂとを縫着している縫糸１３ａ，１３ｂ，１３ｃの全部または一部をチェーンスリング包被体１２，１２をも一緒に縫着するように用いて、これらの縫着強度を高めるようにしても良い。
【００１７】
チェーンスリング包被体１２，１２の形状および構成は同一である。各チェーンスリング包被体１２は本体ベルト１１よりも十分に大きな幅寸法を有し、本体ベルト１１の幅方向外側に突出した一対の折り返し部１２ａ，１２ｂを有する。一方の折り返し部１２ａの一面（図１において表面側）には、互いに係着可能な一対の面ファスナーの一方の部材１５が縫着され、他方の折り返し部１２ｂの一面（図１において裏面側）には他方の面ファスナー部材１６が縫着されている。これら面ファスナー部材１５，１６は、折り返し部１２ａ，１２ｂを図１裏面側に折り返し、折り返し部１２ｂが上に重なるようにして重ね合わせたとき（図２）に互いに係着可能なように配置されている。また、面ファスナー部材１５は面ファスナー部材１６に対して幅広（たとえば約２倍の幅）とされており、折り返し部１２ａ，１２ｂを重ね合わせたときに多少の位置ずれがあっても面ファスナー部材１５，１６同士の係着が確実に行われるようにしている。
【００１８】
図３は、このチェーンスリングプロテクター１０をチェーンスリングＳにセットするために、チェーンスリングＳを本体ベルト１１の幅中心に合わせて載せた状態を示す。チェーンスリングＳは本体ベルト１１の幅広スリングベルト１１ａ側に載せられ、したがって一対のチェーンスリング包被体１２，１２の上に載せられる。
【００１９】
図３の状態から、各チェーンスリング包被体１２の折り返し部１２ａを上方に折り返してチェーンスリングＳ上に被せ、次いで折り返し部１２ｂを上方に折り返して折り返し部１２ａの上に重ねる。これにより、折り返し部１２ａの面ファスナー部材１５と折り返し部１２ｂの面ファスナー部材１６とが係着され、閉じた状態となったチェーンスリング包被体１２，１２内にチェーンスリングＳを保持する。この状態が図４に示されている。
【００２０】
図４に示す状態において、面ファスナー部材１５，１６同士の係着を解除しない限り、チェーンスリングプロテクター１０はチェーンスリングＳから離脱することなくセット状態に保持されるが、このセット状態を維持したまま、チェーンスリングＳはチェーンスリングプロテクター１０に対して長さ方向にスライド移動可能である。
【００２１】
図５は、２つのチェーンスリングプロテクター１０，１０をチェーンスリングＳに取り付けてコラム（角パイプ）Ｗを玉掛けで吊り上げたときの状態図である。この場合は、コラムＷの下側の２つのコーナー部を覆うに十分な長さの本体ベルト１１を有するチェーンスリングプロテクター１０，１０を一対用いて、その両端に設けられる一対のチェーンスリング包被体１２，１２がコラムＷの該コーナー部を挟む側面および下面上に位置し、それらチェーンスリング包被体１２，１２間の本体ベルト１１中央部が該コーナー部に沿って屈曲しながら略密接するような位置関係で使用する。既述したように、チェーンスリングプロテクター１０の本体ベルト１１は屈曲自在な材質で形成されているので、コラムＷのコーナー部の形状に合わせて図示のように屈曲し、本体ベルト１１の幅狭スリングベルト１１ｂがコラムＷのコーナー部および該コーナー部を挟む二面に略密接した状態となる。
【００２２】
チェーンスリングプロテクター１０をセットした状態においてもチェーンスリングＳをスライド移動可能であるので、図５に示すような適切な位置関係を容易に得ることができる。この状態でチェーンスリングプロテクター１０，１０をコラムＷに当ててクレーンなどで吊り上げることにより、チェーンスリングＳおよびコラムＷを保護することができる。
【００２３】
（削除）
【００２４】
本発明のチェーンスリングプロテクター１０は、上述の基本構成に加えて、一対のチェーンスリング包被体１２，１２間においてチェーンスリングＳを本体ベルト１１に結束する結束手段としての結束バンド１８を備えている（図６参照、なお図１〜図５では結束バンド１８は図示省略されている）。結束バンド１８をチェーンスリングＳの一つのチェーンリンクに通して本体ベルト１１に結束することにより、チェーンスリングＳはチェーンスリングプロテクター１０の長さ方向の両端でチェーンスリング包被体１２，１２による拘束作用を受けることに加えて、その略中央においても結束バンド１８で本体ベルト１１に結束されることになるので、その取付状態がより確実・安定化し、チェーンスリングプロテクター１０がチェーンスリングＳから不慮に離脱することを防止する。
【００２５】
結束バンド１８は、チェーンスリングプロテクター１０にあらかじめ付属されているので紛失の危険がなくなる。たとえば、図１，図２にＡ部として示される箇所で縫糸１３ａ，１３ｂ，１３ｃの縫目間隔を結束バンド１８の幅と略同一またはそれより僅かに広く開けておき、ここに結束バンド１８を通しておく。こうすれば結束バンド１８がチェーンスリングプロテクター１０の付属品として取り付けられたものとなる。
【００２６】
図７は本発明の他の実施形態によるチェーンスリングプロテクター１９の基本構成を示す、前記実施形態の図１に対応した図である。この実施形態によるチェーンスリングプロテクター１９は前記実施形態によるチェーンスリングプロテクター１０の変形例であり、同一の部材・要素には同一の符号を付してそれらの説明を省略する。
【００２７】
このチェーンスリングプロテクター１９が既述のチェーンスリングプロテクター１０と異なるのは、本体ベルト１１の長さ寸法が大きく、その両端にチェーンスリング包被体１２，１２が設けられるだけでなく、その中央部にも同様の構成のチェーンスリング包被体１２’が設けられている点である。このようにすれば、ワークとの当たり面積（長さ）が大きい場合にも対応できる。このチェーンスリングプロテクター１９にも結束バンド１８が付属しており、たとえば両端のチェーンスリング包被体１２と中央のチェーンスリング包被体１２’との間（Ａ１，Ａ２）で縫糸１３ａ，１３ｂ，１３ｃの縫目間隔を結束バンド１８の幅と略同一またはそれより僅かに広く開けておき、ここに結束バンド１８を通しておけば良い。
【００２８】
本発明について実施例を挙げて説明したが、本発明はこれらに限定されるものではなく、特許請求の範囲によって特定される発明の範囲内において種々の変形態様を取り得る。
【００２９】
（削除）
【００３０】
たとえば、既述実施例では幅広スリングベルト１１ａと幅狭スリングベルト１１ｂを縫合して本体ベルト１１とし且つ幅広スリングベルト１１ａ側にチェーンスリング包被体１２，１２’を縫着しているが、反対に幅狭スリングベルト１１ｂ側にチェーンスリング包被体１２，１２’を縫着しても良く、あるいは同幅の２枚のスリングベルトを縫合して本体ベルト１１としても良い。
【００３１】
（削除）
【００３２】
また、ワークはコラムに限定されるものではなく、様々なワークをチェーンスリングで吊り上げる際のスリングプロテクターとして使用することができる。
【図面の簡単な説明】
【００３３】
【図１】本発明の一実施形態によるチェーンスリングプロテクターの基本構成を示す展開状態斜視図である。
【図２】このチェーンスリングプロテクターの一対のチェーンスリング包被体を閉じて面ファスナーで係着した状態の斜視図である。
【図３】このチェーンスリングプロテクターを展開状態にしてチェーンスリングを置いたときの状態図である。
【図４】図３の状態から面ファスナー部材同士の係着により一対のチェーンスリング包被体を閉じてチェーンスリングを保持した状態を示す平面図（ａ）および正面図（ｂ）である。
【図５】このチェーンスリングプロテクターをチェーンスリングに取り付けてコラムを吊り上げたときの状態図である。
【図６】結束バンドを明示したチェーンスリングプロテクターの正面図である。
【図７】本発明の他の実施形態によるチェーンスリングプロテクターの基本構成を示す展開状態斜視図である。
【符号の説明】
【００３４】
１０ チェーンスリングプロテクター
１１ 本体ベルト
１１ａ 幅広スリングベルト
１１ｂ 幅狭スリングベルト
１２、１２’ チェーンスリング包被体
１２ａ，１２ｂ 折り返し部
１３ａ，１３ｂ，１３ｃ 縫糸
１４ａ，１４ｂ 縫糸
１５，１６ 面ファスナー部材（第一および第二係着手段）
１８ 結束バンド
１９ チェーンスリングプロテクター
Ｓ チェーンスリング
Ｗ コラム
【図１】
0005123609.tif 000002
【図２】
0005123609.tif 000003
【図３】
0005123609.tif 000004
【図４】
0005123609.tif 000005
【図５】
0005123609.tif 000006
【図７】
0005123609.tif 000007
【図６】
0005123609.tif 000008